(57)【要約】【課題】異物を除去するために別途部材を備えることなく、定着ローラーに付着した異物を除去することができる定着装置及び画像形成装置を提供する。【解決手段】記録媒体の搬送方向に直交する方向の幅を取得する幅取得部と、第１の記録媒体の定着処理後に第２の記録媒体の定着処理を行う際に、幅取得部６２により取得された第２の記録媒体の幅が第１の記録媒体の幅よりも大きいと判断した場合、搬送方向に対して下流の先端部からトナー像と接する側の定着部材の周長と同じ長さまではトナー像が形成されていない第３の記録媒体の先端部から周長と同じ長さまでのトナー像が形成されていない位置が、ニップ部の第１の記録媒体の搬送方向と直交する方向の端部に対応する位置を通過させる制御部７とを備える。【選択図】図２
2016166977.tif 000002
【特許請求の範囲】
【請求項１】
トナー像が形成された記録媒体を、一対の定着部材のうち少なくとも一方を加熱して圧接することにより形成されたニップ部に通過させて前記トナー像を前記記録媒体に定着させる定着装置において、
記録媒体の搬送方向に直交する方向の幅を取得する幅取得部と、
第１の記録媒体の定着処理後に第２の記録媒体の定着処理を行う際に、前記幅取得部により取得された前記第２の記録媒体の幅が前記第１の記録媒体の幅よりも大きいと判断した場合、前記搬送方向に対して下流の先端部から前記トナー像と接する側の定着部材の周長と同じ長さまではトナー像が形成されていない第３の記録媒体の前記先端部から前記周長と同じ長さまでのトナー像が形成されていない位置が、前記ニップ部の前記第１の記録媒体の搬送方向と直交する方向の端部に対応する位置を通過させる制御部と、
を備えたことを特徴とする定着装置。
【請求項２】
記録媒体の種類を取得する種類取得部を備え、
前記制御部は、前記幅取得部により取得された前記第２の記録媒体の幅が前記第１の記録媒体の幅よりも大きく、且つ前記種類取得部により取得された前記第２の記録媒体の種類が所定の種類であると判断した場合、前記第３の記録媒体を通過させることを特徴とする請求項１に記載の定着装置。
【請求項３】
記録媒体の種類を取得する種類取得部を備え、
前記制御部は、前記幅取得部により取得された前記第２の記録媒体の幅が前記第１の記録媒体の幅よりも大きく、且つ前記種類取得部により取得された前記第１の記録媒体の種類が所定の種類であると判断した場合、前記第３の記録媒体を通過させることを特徴とする請求項１又は２に記載の定着装置。
【請求項４】
記録媒体の定着処理の枚数を取得する枚数取得部を備え、
前記制御部は、前記幅取得部により取得された前記第２の記録媒体の幅が前記第１の記録媒体の幅よりも大きく、且つ前記枚数取得部により取得された第１の記録媒体の定着処理の枚数が所定の枚数以上であると判断した場合、前記第３の記録媒体を通過させることを特徴とする請求項１から３のいずれか一項に記載の定着装置。
【請求項５】
記録媒体に形成される画像の位置を取得する画像取得部を備え、
前記制御部は、前記幅取得部により取得された前記第２の記録媒体の幅が前記第１の記録媒体の幅よりも大きく、且つ前記画像取得部により取得された前記第２の記録媒体の画像の位置が前記第１の記録媒体の搬送方向に直交する方向の端部の位置を含むと判断した場合、前記第３の記録媒体を通過させることを特徴とする請求項１から４のいずれか一項に記載の定着装置。
【請求項６】
記録媒体に形成される画像のスクリーン処理の情報を取得する画像取得部を備え、
前記制御部は、前記幅取得部により取得された前記第２の記録媒体の幅が前記第１の記録媒体の幅よりも大きく、且つ前記画像取得部により取得されたスクリーン処理が誤差拡散法によるスクリーン処理であると判断した場合、前記第３の記録媒体を通過させることを特徴とする請求項１から５のいずれか一項に記載の定着装置。
【請求項７】
前記記録媒体の搬送方向に直交する方向の位置を調整する位置調整部を備え、
前記制御部は、前記幅取得部により取得された前記第３の記録媒体の幅が第１の記録媒体の幅より小さいと判断した場合、前記位置調整部を制御して、前記第３の記録媒体の前記位置を調整して前記第１の記録媒体の搬送方向に直交する方向の端部を通るように通過させることを特徴とする請求項１から６のいずれか一項に記載の定着装置。
【請求項８】
前記制御部は、前記位置調整部を制御して、前記第３の記録媒体が、前記端部のいずれか片側を通るように前記ニップ部に通過させることを特徴とする請求項７に記載の定着装置。
【請求項９】
前記制御部は、前記位置調整部を制御して、複数の前記第３の記録媒体のうち少なくとも１枚が前記端部の片側を通り、少なくとも１枚が前記端部のもう一方の側を通るように前記ニップ部に通過させることを特徴とする請求項７に記載の定着装置。
【請求項１０】
前記制御部は、前記位置調整部を制御して、前記第３の記録媒体の表面が前記端部の片側を、裏面が前記端部のもう一方の側を通るように前記ニップ部に通過させることを特徴とする請求項７に記載の定着装置。
【請求項１１】
記録媒体にトナー像を形成する画像形成部と、
前記トナー像が形成された前記記録媒体を通して、前記トナー像を前記記録媒体に定着させる請求項１から１０のいずれか一項に記載の定着装置と、を備えたことを特徴とする画像形成装置。
【発明の詳細な説明】
【技術分野】
【０００１】
本発明は、定着装置及び画像形成装置に関する。
【背景技術】
【０００２】
従来、電子写真方式の画像形成装置において、像担持体（例えば、感光体ドラム等）に形成されたトナー像を用紙等の記録媒体に転写して、記録媒体に転写されたトナー像を定着する定着装置が知られている。この定着装置として、例えば、加熱された定着ローラーに対して加圧ローラーにより加圧することによって形成されたニップ部で、トナー像が転写された記録媒体を挟持しながら搬送する構成のものがある。
【０００３】
このような定着装置において用紙幅の異なる用紙に対して定着処理を行う場合、例えば、用紙幅の狭い用紙に定着処理を行った後に、用紙幅の広い用紙に定着処理を行った場合には、用紙幅の広い用紙で画像不良が発生する場合がある。
【０００４】
より具体的には、用紙幅の狭い用紙の定着時に、当該用紙の搬送方向に直交する方向の用紙端部の紙粉等の異物が定着ローラーに付着し、定着ローラーの表面に用紙端部の跡が発生してしまう。そして、このような状態の定着ローラーで用紙幅の広い用紙に対して定着処理を行うと、特に、当該用紙端部の跡が発生している位置に未定着の画像が形成されている場合、当該用紙端部の跡が用紙幅の広い用紙に転写されてしまい、用紙幅の広い用紙において画像不良が発生してしまうことになる。
【０００５】
このため、定着ローラーに接離可能に当接する研磨部材を備え、研磨部材により、定着ローラーに付着した紙粉を除去する画像形成装置が開示されている（特許文献１参照）。また、黒ベタ画像が転写された記録媒体を定着装置で定着処理させることにより、定着ローラーに付着した紙粉を除去する画像形成装置が開示されている（特許文献２参照）。
【先行技術文献】
【特許文献】
【０００６】
【特許文献１】特開２００７−２４８６８０号公報
【特許文献２】特開２００７−０５７７０２号公報
【発明の概要】
【発明が解決しようとする課題】
【０００７】
しかしながら、特許文献１に記載された画像形成装置では、研磨部材を別途備える必要があり構造の複雑化や高コスト化を生じると共に、定着ローラーに直接研磨部材が当接するため、定着ローラーの表面に傷を生じさせる場合があるといった問題点があった。
また、定着ローラーに研磨部材を当接させることにより、定着ローラーの熱が奪われてしまい、再度、定着ローラーの温度調整が必要となり生産性低下につながるといった問題点もあった。
【０００８】
一方、特許文献２に記載された画像形成装置では、黒ベタ画像が転写された記録媒体を定着装置で定着処理させることにより、定着ローラーに付着した紙粉を除去するものの、紙種によっては逆に用紙端部の跡の転写を促す可能性があり、黒ベタ画像が転写された記録媒体を用いるためトナー消費量が増加してしまうといった問題点があった。
また、特許文献２に記載された画像形成装置では、紙粉量を測定するための紙粉量測定手段を別途備える必要があり構造の複雑化や高コスト化を生じてしまうといった問題点もあった。
【０００９】
本発明の課題は、異物を除去するために別途部材を備えることなく、定着部材に付着した異物を除去することができる定着装置及び画像形成装置を提供することにある。
【課題を解決するための手段】
【００１０】
上記課題を達成するため、請求項１に記載の発明の定着装置は、
トナー像が形成された記録媒体を、一対の定着部材のうち少なくとも一方を加熱して圧接することにより形成されたニップ部に通過させて前記トナー像を前記記録媒体に定着させる定着装置において、
記録媒体の搬送方向に直交する方向の幅を取得する幅取得部と、
第１の記録媒体の定着処理後に第２の記録媒体の定着処理を行う際に、前記幅取得部により取得された前記第２の記録媒体の幅が前記第１の記録媒体の幅よりも大きいと判断した場合、前記搬送方向に対して下流の先端部から前記トナー像と接する側の定着部材の周長と同じ長さまではトナー像が形成されていない第３の記録媒体の前記先端部から前記周長と同じ長さまでのトナー像が形成されていない位置が、前記ニップ部の前記第１の記録媒体の搬送方向と直交する方向の端部に対応する位置を通過させる制御部と、
を備えたことを特徴としている。
【００１１】
請求項２に記載の発明は、請求項１に記載の定着装置において、
記録媒体の種類を取得する種類取得部を備え、
前記制御部は、前記幅取得部により取得された前記第２の記録媒体の幅が前記第１の記録媒体の幅よりも大きく、且つ前記種類取得部により取得された前記第２の記録媒体の種類が所定の種類であると判断した場合、前記第３の記録媒体を通過させることを特徴としている。
【００１２】
請求項３に記載の発明は、請求項１又は２に記載の定着装置において、
記録媒体の種類を取得する種類取得部を備え、
前記制御部は、前記幅取得部により取得された前記第２の記録媒体の幅が前記第１の記録媒体の幅よりも大きく、且つ前記種類取得部により取得された前記第１の記録媒体の種類が所定の種類であると判断した場合、前記第３の記録媒体を通過させることを特徴としている。
【００１３】
請求項４に記載の発明は、請求項１から３のいずれか一項に記載の定着装置において、
記録媒体の定着処理の枚数を取得する枚数取得部を備え、
前記制御部は、前記幅取得部により取得された前記第２の記録媒体の幅が前記第１の記録媒体の幅よりも大きく、且つ前記枚数取得部により取得された第１の記録媒体の定着処理の枚数が所定の枚数以上であると判断した場合、前記第３の記録媒体を通過させることを特徴としている。
【００１４】
請求項５に記載の発明は、請求項１から４のいずれか一項に記載の定着装置において、
記録媒体に形成される画像の位置を取得する画像取得部を備え、
前記制御部は、前記幅取得部により取得された前記第２の記録媒体の幅が前記第１の記録媒体の幅よりも大きく、且つ前記画像取得部により取得された前記第２の記録媒体の画像の位置が前記第１の記録媒体の搬送方向に直交する方向の端部の位置を含むと判断した場合、前記第３の記録媒体を通過させることを特徴としている。
【００１５】
請求項６に記載の発明は、請求項１から５のいずれか一項に記載の定着装置において、
記録媒体に形成される画像のスクリーン処理の情報を取得する画像取得部を備え、
前記制御部は、前記幅取得部により取得された前記第２の記録媒体の幅が前記第１の記録媒体の幅よりも大きく、且つ前記画像取得部により取得されたスクリーン処理が誤差拡散法によるスクリーン処理であると判断した場合、前記第３の記録媒体を通過させることを特徴としている。
【００１６】
請求項７に記載の発明は、請求項１から６のいずれか一項に記載の定着装置において、
前記記録媒体の搬送方向に直交する方向の位置を調整する位置調整部を備え、
前記制御部は、前記幅取得部により取得された前記第３の記録媒体の幅が第１の記録媒体の幅より小さいと判断した場合、前記位置調整部を制御して、前記第３の記録媒体の前記位置を調整して前記第１の記録媒体の搬送方向に直交する方向の端部を通るように通過させることを特徴としている。
【００１７】
請求項８に記載の発明は、請求項７に記載の定着装置において、
前記制御部は、前記位置調整部を制御して、前記第３の記録媒体が、前記端部のいずれか片側を通るように前記ニップ部に通過させることを特徴としている。
【００１８】
請求項９に記載の発明は、請求項７に記載の定着装置において、
前記制御部は、前記位置調整部を制御して、複数の前記第３の記録媒体のうち少なくとも１枚が前記端部の片側を通り、少なくとも１枚が前記端部のもう一方の側を通るように前記ニップ部に通過させることを特徴としている。
【００１９】
請求項１０に記載の発明は、請求項７に記載の定着装置において、
前記制御部は、前記位置調整部を制御して、前記第３の記録媒体の表面が前記端部の片側を、裏面が前記端部のもう一方の側を通るように前記ニップ部に通過させることを特徴としている。
【００２０】
請求項１１に記載の発明は、画像形成装置において、
記録媒体にトナー像を形成する画像形成部と、
前記トナー像が形成された前記記録媒体を通して、前記トナー像を前記記録媒体に定着させる請求項１から１０のいずれか一項に記載の定着装置と、を備えたことを特徴としている。
【発明の効果】
【００２１】
本発明によれば、異物を除去するために別途部材を備えることなく、定着部材に付着した異物を除去することができる。
【図面の簡単な説明】
【００２２】
【図１】本発明を適用した実施形態の画像形成装置の概略構成を示す図である。
【図２】図１の画像形成装置の機能構成を示すブロック図である。
【図３】定着装置を拡大した概略図である。
【図４】制御部の制御動作を説明するフローチャートである。
【図５】制御部の他の制御動作を説明するフローチャートである。
【図６】制御部の他の制御動作を説明するフローチャートである。
【図７】位置調整部による用紙位置の調整動作を示す説明図である。
【発明を実施するための形態】
【００２３】
（実施形態）
以下に、本発明について、図面を用いて具体的な態様を説明する。但し、発明の範囲は、図示例に限定されない。
図１は、本発明を適用した実施形態の画像形成装置１００の概略構成を示す図である。また、図２は、画像形成装置１００の機能構成を示すブロック図である。
【００２４】
図１及び図２に示すように、本実施形態の画像形成装置１００は、原稿に形成されているカラー画像を読み取って取得された画像データ、又は、ネットワークを介して外部の情報機器（例えばパーソナルコンピューター）から入力された画像データに基づいて、用紙（記録媒体）Ｍに色を重ね合わせることにより画像を形成する。
また、画像形成装置１００は、イエロー（Ｙ）、マゼンタ（Ｍ）、シアン（Ｃ）、ブラック（Ｋ）の４色に対応する感光体ドラム４３Ｙ、４３Ｍ、４３Ｃ、４３Ｋを中間転写ベルト４７ａの走行方向に直列配置し、被転写体に一回の手順で各色トナー像を順次転写させるタンデム方式の画像形成装置である。
【００２５】
具体的には、本実施形態の画像形成装置１００は、画像読取部１と、操作表示部２と、画像処理部３と、画像形成部４と、搬送部５と、定着装置６と、制御部７等を備えて構成されている。
【００２６】
画像読取部１は、ＡＤＦ（Auto Document Feeder）と称される自動原稿給紙装置１１と、原稿画像走査装置（スキャナー）１２等を備えて構成されている。
【００２７】
自動原稿給紙装置１１は、原稿トレイに載置された原稿を搬送機構により搬送して原稿画像走査装置１２へ送り出す。自動原稿給紙装置１１は、原稿トレイに載置された多数枚の原稿の画像（両面を含む）を連続して一挙に読み取ることができる。
【００２８】
原稿画像走査装置１２は、自動原稿給紙装置１１からコンタクトガラス上に搬送された原稿又はコンタクトガラス上に載置された原稿を光学的に走査し、原稿からの反射光をＣＣＤ（Charge Coupled Device）センサー１２ａの受光面上に結像させ、原稿画像を読み
取る。画像読取部１によって読み取られた画像（アナログ画像信号）は、画像処理部３において所定の画像処理が施される。
ここで、画像とは、図形や写真等のイメージデータに限らず、文字や記号等のテキストデータ等も含む意である。
【００２９】
操作表示部２は、タッチパネル付の液晶ディスプレイ（ＬＣＤ：Liquid Crystal Display）等で構成され、表示部２１及び操作部２２として機能する。
表示部２１は、制御部７から入力される表示制御信号に従って、各種操作画面、画像の状態表示、各機能の動作状況等の表示を行う。
操作部２２は、テンキー、スタートキー等の各種操作キーを備え、ユーザーによる各種入力操作を受け付けて、操作信号を制御部７に出力する。
【００３０】
画像処理部３は、アナログデジタル（Ａ／Ｄ）変換処理を行う回路及びデジタル画像処理を行う回路等を備えて構成されている。
画像処理部３は、画像読取部１からのアナログ画像信号にＡ／Ｄ変換処理を施すことによりデジタル画像データ（ＲＧＢ信号）を生成する。また、画像処理部３は、このデジタル画像データに、色変換処理、階調再現処理（スクリーン処理等）、初期設定又はユーザー設定に応じた補正処理（シェーディング補正等）、及び圧縮処理等を施す。これらの処理が施されたデジタル画像データ（ＹＭＣＫ信号）に基づいて、画像形成部４が制御される。
【００３１】
画像形成部４は、異なる色成分Ｙ、Ｍ、Ｃ、Ｋに対応して設けられた、露光装置４１Ｙ、４１Ｍ、４１Ｃ、４１Ｋと、現像装置４２Ｙ、４２Ｍ、４２Ｃ、４２Ｋと、感光体ドラム４３Ｙ、４３Ｍ、４３Ｃ、４３Ｋと、帯電装置４４Ｙ、４４Ｍ、４４Ｃ、４４Ｋと、潤滑剤塗布除去部４５Ｙ、４５Ｍ、４５Ｃ、４５Ｋと、一次転写ローラー４６Ｙ、４６Ｍ、４６Ｃ、４６Ｋ並びに中間転写ユニット４７等を備えて構成されている。
【００３２】
画像形成部４のＹ成分用のユニットにおいて、帯電装置４４Ｙは、感光体ドラム４３Ｙを帯電させる。露光装置４１Ｙは、例えば半導体レーザーで構成され、感光体ドラム４３Ｙに対してＹ成分に対応するレーザー光を照射する。これにより、感光体ドラム４３Ｙの表面にＹ成分の静電潜像が形成される。現像装置４２Ｙは、Ｙ成分の現像剤（例えば、小粒径のトナーと磁性体とからなる２成分現像剤）を収容しており、感光体ドラム４３Ｙの表面にＹ成分のトナーを付着させることにより、静電潜像を現像する（トナー像の形成）。
Ｍ成分、Ｃ成分、及びＫ成分用のユニットにおいても、同様にして、対応する感光体ドラム４３Ｍ、４３Ｃ、４３Ｋの表面に各色トナー像が形成される。
【００３３】
潤滑剤塗布除去部４５Ｙ、４５Ｍ、４５Ｃ、４５Ｋは、感光体ドラム４３Ｙ、４３Ｍ、４３Ｃ、４３Ｋの表面に潤滑剤を塗布すると共に、感光体ドラム４３Ｙ、４３Ｍ、４３Ｃ、４３Ｋの表面に過剰に付着している潤滑剤や異物を除去する。
【００３４】
中間転写ユニット４７は、複数の支持ローラー４７ｂ、…に被転写体となる無端状の中間転写ベルト４７ａが張架されて構成されている。
中間転写ベルト４７ａが、一次転写ローラー４６Ｙ、４６Ｍ、４６Ｃ、４６Ｋによって感光体ドラム４３Ｙ、４３Ｍ、４３Ｃ、４３Ｋに圧接されると、当該中間転写ベルト４７ａに各色トナー像が順次重ねて一次転写される。そして、一次転写された中間転写ベルト４７ａが二次転写ローラー４８によって用紙Ｍに圧接されることで、当該用紙Ｍにトナー像が二次転写される。
なお、二次転写後に中間転写ベルト４７ａに残存するトナーは、クリーニング装置４９のブレード等により除去される。
【００３５】
搬送部５は、給紙装置５１、搬送機構５２、及び排紙装置５３等を備えて構成されている。
給紙装置５１は、三つの給紙トレイユニット５１ａ〜５１ｃを備えている。これらの給紙トレイユニット５１ａ〜５１ｃには、用紙Ｍの坪量や大きさ等に基づいて識別された規格用紙や特殊用紙が予め設定された種類毎に収容される。給紙トレイユニット５１ａ〜５１ｃに収容されている用紙Ｍは、最上部から１枚ずつ送り出され、レジストローラー５２ａ等の複数の搬送ローラーを備えた搬送機構５２によって画像形成部４に搬送される。このとき、レジストローラー５２ａが配設されたレジスト部により、給紙された用紙Ｍの傾きが補正されると共に搬送タイミングが調整される。
また、給紙装置５１には、手差しで用紙Ｍを供給するための手差しトレイユニット５１ｄを備えている。
【００３６】
そして、画像形成部４において、中間転写ベルト４７ａのトナー像が用紙Ｍの画像形成面に一括して二次転写され、定着装置６において定着工程が施される。画像形成された用紙Ｍは、排紙ローラー５３ａを備えた排紙装置５３により機外の排紙トレイ５３ｂに排紙される。
【００３７】
定着装置６は、用紙Ｍに転写されたトナー像を定着する定着処理を施す。
以下に、定着装置６について図１〜図３を参照して詳細に説明する。
【００３８】
図３は、定着装置６を拡大した概略図である。図２に示すように定着装置６は、定着部６１と、紙幅取得部（幅取得部）６２と、紙種取得部（種類取得部）６３と、枚数取得部６４と、画像取得部６５と、位置調整部６６等を備えて構成されている。
【００３９】
定着部６１は、一対の定着部材である定着ローラー６１ａと加圧ローラー６１ｂと、加圧ローラー６１ｂに当接して加圧ローラー６１ｂを加熱するための外加熱ローラー６１ｃを備えている。また、定着ローラー６１ａの内部には定着ヒーター６１ｄが、外加熱ローラー６１ｃの内部には外加熱ヒーター６１ｅが設けられている。さらに、定着ローラー６１ａ及び加圧ローラー６１ｂは、用紙Ｍを挟持して搬送するニップ部Ｎを構成している。
【００４０】
定着ローラー６１ａは、用紙Ｍの画像形成面側に配置され、定着ローラー６１ａは、図示しないモーター等の駆動手段の駆動に伴って回転する。
また、定着ローラー６１ａは、例えば、鉄等からなる円柱状の芯金の外周面に、シリコーンゴム等からなる弾性層が形成された構成を有し、また、定着ヒーター６１ｄとしてハロゲンヒーター等の定着ヒーター６１ｄを内蔵すると共に、トナー像が転写された用紙Ｍの画像形成面に接触して、この用紙Ｍを所定の定着温度で加熱する。すなわち、定着ローラー６１ａは、回転しながら用紙Ｍの画像形成面に接触して当該用紙Ｍを加熱する。
所定の定着温度とは、用紙Ｍがニップ部Ｎを通過する際に、トナーを溶融するのに必要な熱量を供給しうる温度であり、画像形成される用紙Ｍの紙種等によって異なる。
【００４１】
加圧ローラー６１ｂは、定着ローラー６１ａに対向して配置され、当該定着ローラー６１ａに所定の押圧力で押圧されている。すなわち、加圧ローラー６１ｂは、定着ローラー６１ａとともに、用紙Ｍを挟み込んで加圧する加圧部として機能する。
【００４２】
また、加圧ローラー６１ｂは、例えば、鉄等からなる円筒状の芯金の外周面に、シリコーンゴム等からなる弾性層が形成された構成を有する。また、加圧ローラー６１ｂの表面が定着ローラー６１ａの表面に対して相対的に硬くすることにより、加圧ローラー６１ｂは、定着ローラー６１ａに押し付けられた状態で、定着ローラー６１ａの表面の弾性層に食い込むような形状のニップ部Ｎを形成している。
【００４３】
紙幅取得部６２は、定着装置６に搬送されてくる用紙Ｍの用紙幅に関する情報を取得する。例えば、フォトダイオードアレイ等の光学センサーにより実際に用紙Ｍの用紙幅を検出してもよいし、制御部７の記憶手段に格納されているジョブ情報から用紙Ｍの用紙幅情報を取得するものであってもよい。
【００４４】
紙種取得部６３は、定着装置６に搬送されてくる用紙Ｍの種類に関する情報を取得する。例えば、各種センサーにより用紙端部の跡が転写されやすい紙の種類や、逆に、紙粉を出しやすい紙の種類を検出してもよいし、制御部７の記憶手段に格納されているジョブ情報から用紙Ｍの用紙の種類情報を取得するものであってもよい。
【００４５】
枚数取得部６４は、前回の印刷動作で処理した用紙の枚数に関する情報を取得する。例えば、フォトダイオード等の光学センサーにより実際に用紙Ｍの通過枚数を検出してもよいし、制御部７の記憶手段に格納されているジョブ情報から枚数情報を取得するものであってもよい。
【００４６】
画像取得部６５は、今回印刷される画像位置やスクリーンパターン等の中間調（ハーフトーン）の画像に施されたスクリーン処理の情報を取得する。例えば、イメージセンサー等により実際に用紙Ｍ上に形成されたトナー像を検出してもよいし、画像処理部３や画像形成部４等から今回印刷される画像情報を取得するものであってもよい。スクリーン処理とは、色点の数や密度で色の階調を作り出す処理のことである。また、中間調（ハーフトーン）の画像に施されたスクリーン処理が誤差拡散法であるか否かの情報は画像処理部３から取得する。
【００４７】
位置調整部６６は、ニップ部Ｎの上流側に設けられ、搬送されてきた用紙Ｍの位置を搬送方向に直交する方向に移動させて、ニップ部Ｎを通過する用紙Ｍの位置を調整するものである。例えば、搬送されてきた用紙Ｍを挟持する一対のローラー等で構成され、用紙Ｍを挟持した状態で、アクチュエーター等の駆動手段で一対のローラーを搬送方向に直交する方向に移動させることにより、用紙Ｍの位置を調整する。
【００４８】
制御部７は、例えば、ＣＰＵ（Central Processing Unit）７１、ＲＯＭ（Read Only Memory）７２、ＲＡＭ（Random Access Memory）７３等を備えて構成されている。
ＣＰＵ７１は、ＲＯＭ７２から処理内容に応じたプログラムを読み出してＲＡＭ７３に 展開し、展開されたプログラムと協働して画像形成装置１００の各ブロック（画像読取部１、操作表示部２、画像処理部３、画像形成部４、搬送部５、定着装置６等）の動作を集中制御する。このとき、例えば、不揮発性の半導体メモリー（フラッシュメモリー）やハードディスクドライブで構成された記憶部（不図示）に格納されている各種データが参照される。
【００４９】
ここで、制御部７は、例えば、ＬＡＮ（Local Area Network）カード等で構成された通信部（図示略）を介して、ＬＡＮ、ＷＡＮ（Wide Area Network）等の通信ネットワーク
に接続された外部の装置（例えばパーソナルコンピューター）との間で各種データの送受信を行っても良い。
【００５０】
また、制御部７は、紙幅取得部６２、紙種取得部６３、枚数取得部６４、画像取得部６５等を制御して各取得部からの取得情報を取得し、位置調整部６６を制御して、搬送されてきた用紙Ｍの位置を搬送方向に直交する方向に移動させて、ニップ部Ｎを通過する用紙Ｍの位置を調整する。
【００５１】
また、制御部７のＲＡＭ７３等の記憶手段には、画像形成処理のジョブ情報、例えば、
給紙トレイユニット５１ａ〜５１ｃに収容されている用紙Ｍの用紙幅情報、種類情報、ジョブで処理する用紙Ｍの枚数情報等を含む情報が格納されている。
【００５２】
ここで、定着装置６の動作を図４に示すフローチャートを用いて説明する。図４のフローチャートに示すように、制御部７は、紙幅取得部６２を制御して用紙Ｍの用紙幅を取得する（ステップＳ４１）。例えば、紙幅取得部６２は、制御部７の記憶手段に格納されているジョブ情報から用紙Ｍの用紙幅情報を取得する
【００５３】
そして、制御部７は、取得された用紙幅が前回の用紙幅よりも広い用紙幅であるか否かを判断し（ステップＳ４２）、取得された用紙幅が前回の用紙幅よりも広い用紙幅ではないと判断した場合（ステップＳ４２：Ｎｏ）、ステップＳ４４に進む。
【００５４】
一方、取得された用紙幅が前回の用紙幅よりも広い用紙幅であると判断した場合（ステップＳ４２：Ｙｅｓ）、トナー像が形成されていない用紙Ｍ（クリーニングシート）をニップ部Ｎに通過させる（ステップＳ４３）。
【００５５】
ここで、トナー像が形成されていない用紙Ｍ（クリーニングシート）は、具体的には、搬送方向に対して下流の先端部からトナー像と接する側の定着ローラー６１ａの周長と同じ長さまではトナー像が形成されていない用紙Ｍであって、制御部７は、当該用紙Ｍの先端部から周長と同じ長さまでのトナー像が形成されていない位置が、ニップ部Ｎの前回の用紙の搬送方向と直交する方向の端部に対応する位置を通過させる。
【００５６】
このように、前回の用紙幅よりも広い用紙幅の用紙Ｍ（クリーニングシート）にトナー像を形成しないでニップ部Ｎを通過させることにより、定着ローラー６１ａに付着した用紙の搬送方向に直交する方向の用紙端部の紙粉等の異物が、広い用紙幅の用紙Ｍ（クリーニングシート）に転写されて、定着ローラー６１ａから除去される。
【００５７】
最後に、制御部７は、通常の定着処理を行って用紙Ｍに転写されたトナー像を定着させる（ステップＳ４４）。
【００５８】
すなわち、前回の用紙幅よりも広い用紙幅の用紙Ｍにトナー像を定着させる場合であっても、定着ローラー６１ａに付着した紙粉等の異物は、トナー像が形成されていない用紙Ｍ（クリーニングシート）に転写されて除去されているので、用紙幅の広い用紙で画像不良が発生することを防止できる。
【００５９】
以上のように、本実施形態の画像形成装置１００によれば、用紙Ｍの搬送方向に直交する方向の幅を取得する紙幅取得部６１と、紙幅取得部６１の取得結果により前回の用紙Ｍの搬送方向に直交する方向の幅よりも今回の用紙Ｍの搬送方向に直交する方向の幅が大きいと判断した場合、トナー像が形成されていない用紙Ｍをニップ部Ｎに通過させる制御部７とを備えることにより、定着ローラー６１ａに付着した紙粉等の異物は、トナー像が形成されていない用紙Ｍに転写されて除去されているので、紙粉を除去するために別途部材を備えることなく、定着ローラー６１ａに付着した異物を除去することができる。
【００６０】
（変形例１）
実施形態の説明に際しては、制御部７は、前回の用紙Ｍの搬送方向に直交する方向の幅よりも今回の用紙Ｍの搬送方向に直交する方向の幅が大きいと判断した場合、トナー像が形成されていない用紙Ｍをニップ部Ｎに通過させていたが、その他の条件との組み合わせにより、トナー像が形成されていない用紙Ｍをニップ部Ｎに通過させてもよい。
なお、トナー像が形成されていない用紙Ｍは、実施形態における説明と同様であり、また、制御部７によるニップ部Ｎの通過方法も同じである。
【００６１】
ここで、変形例１の定着装置６の動作を図５に示すフローチャートを用いて説明する。図５のフローチャートに示すように、制御部７は、紙幅取得部６２を制御して用紙Ｍの用紙幅を取得する（ステップＳ５１）。例えば、紙幅取得部６２は、制御部７の記憶手段に格納されているジョブ情報から用紙Ｍの用紙幅情報を取得する
【００６２】
そして、制御部７は、取得された用紙幅が前回の用紙幅よりも広い用紙幅であるか否かを判断し（ステップＳ５２）、取得された用紙幅が前回の用紙幅よりも広い用紙幅ではないと判断した場合（ステップＳ５２：Ｎｏ）、ステップＳ５９に進む。
【００６３】
一方、制御部７が、取得された用紙幅が前回の用紙幅よりも広い用紙幅であると判断した場合（ステップＳ５２：Ｙｅｓ）、制御部７は、紙種取得部６３を制御して取得された今回の用紙の紙種が、所定の紙種であるか否かを判断する（ステップＳ５３）。具体的には、今回の用紙Ｍが、前回の用紙端部の跡が転写されやすい紙の種類であるか否かを判断する。前回の用紙端部の跡が転写されやすい紙とは、例えば、普通紙や用紙の表面状態が粗い凹凸紙などがある。
【００６４】
制御部７が、紙種取得部６３を制御して取得された今回の用紙の紙種が、所定の紙種であると判断した場合（ステップＳ５３：Ｙｅｓ）、トナー像が形成されていない用紙Ｍ（クリーニングシート）をニップ部Ｎに通過させ（ステップＳ５８）、ステップＳ５９に進む。
【００６５】
例えば、今回の用紙Ｍが、紙種取得部６３により用紙端部の跡が転写されやすい紙の種類であると判断された場合には、用紙幅の広い用紙で画像不良が発生する可能性が高いので、トナー像が形成されていない用紙Ｍをニップ部Ｎに通過させる。
【００６６】
また、例えば、今回の用紙Ｍが、紙種取得部６３により用紙端部の跡が転写されにくい紙の種類であると判断された場合には、用紙幅の広い用紙で画像不良が発生する可能性が低いので、トナー像が形成されていない用紙Ｍをニップ部Ｎに通過させないようにすることができる。
【００６７】
また、制御部７が、紙種取得部６３を制御して取得された今回の用紙の紙種が、所定の紙種ではないと判断した場合（ステップＳ５３：Ｎｏ）、紙種取得部６３を制御して取得された前回の用紙の紙種が、所定の紙種であるか否かを判断する（ステップＳ５４）。具体的には、前回の用紙Ｍが、紙粉を出しやすい紙の種類であるか否かを判断する。紙粉を出しやすい紙とは、例えば、普通紙や用紙の表面状態が粗い凹凸紙などがある。
【００６８】
制御部７が、紙種取得部６３を制御して取得された前回の用紙の紙種が、所定の紙種であると判断した場合（ステップＳ５４：Ｙｅｓ）、トナー像が形成されていない用紙Ｍ（クリーニングシート）をニップ部Ｎに通過させ（ステップＳ５８）、ステップＳ５９に進む。
【００６９】
例えば、前回の用紙Ｍが、紙粉を出しやすい紙の種類と判断された場合には、定着ローラー６１ａに紙粉が付着して、用紙幅の広い用紙で画像不良が発生する可能性が高いので、トナー像が形成されていない用紙Ｍをニップ部Ｎに通過させる。
【００７０】
また、例えば、前回の用紙Ｍが、紙粉を出しにくい紙の種類と判断された場合には、定着ローラー６１ａに紙粉が付着しにくく、用紙幅の広い用紙で画像不良が発生する可能性が低いので、トナー像が形成されていない用紙Ｍをニップ部Ｎに通過させないようにすることができる。
【００７１】
また、制御部７が、紙種取得部６３を制御して取得された前回の用紙の紙種が、所定の紙種ではないと判断した場合（ステップＳ５４：Ｎｏ）、制御部７が、枚数取得部６４を制御して取得された前回の用紙の枚数が所定の枚数以上であるか否かを判断する（ステップＳ５５）。所定の枚数とは、例えば、５００枚とする。
【００７２】
制御部７が、枚数取得部６４を制御して取得された前回の用紙の枚数が所定の枚数以上であると判断した場合（ステップＳ５５：Ｙｅｓ）、トナー像が形成されていない用紙Ｍ（クリーニングシート）をニップ部Ｎに通過させ（ステップＳ５８）、ステップＳ５９に進む。
【００７３】
例えば、前回の用紙Ｍの定着処理の枚数が所定の枚数以上である場合には、定着ローラー６１ａに付着する紙粉量が多くなり、用紙幅の広い用紙で画像不良が発生する可能性が高いので、トナー像が形成されていない用紙Ｍをニップ部Ｎに通過させる。
【００７４】
また、例えば、前回の用紙Ｍの定着処理の枚数が所定の枚数以下である場合には、定着ローラー６１ａに付着する紙粉量が少なく、用紙幅の広い用紙で画像不良が発生する可能性が低いので、トナー像が形成されていない用紙Ｍをニップ部Ｎに通過させないようにすることができる。
【００７５】
また、制御部７が、枚数取得部６４を制御して取得された前回の用紙の枚数が所定の枚数以上ではないと判断した場合（ステップＳ５５：Ｎｏ）、制御部７が、画像取得部６５を制御して取得された今回の画像位置が前回の用紙Ｍの搬送方向に直交する方向の用紙端部を含むか否かを判断する（ステップＳ５６）。
【００７６】
制御部７が、画像取得部６５を制御して取得された今回の画像位置が前回の用紙端部を含むと判断した場合（ステップＳ５６：Ｙｅｓ）、トナー像が形成されていない用紙Ｍ（クリーニングシート）をニップ部Ｎに通過させ（ステップＳ５８）、ステップＳ５９に進む。
【００７７】
例えば、今回の用紙Ｍの画像位置が前回の用紙Ｍの搬送方向に直交する方向の用紙端部を含む場合には、定着ローラー６１ａであって用紙端部に付着している紙粉が転写されてしまい、用紙幅の広い用紙で画像不良が発生する可能性が高いので、トナー像が形成されていない用紙Ｍをニップ部Ｎに通過させる。
【００７８】
また、例えば、今回の用紙Ｍの画像位置が前回の用紙Ｍの搬送方向に直交する方向の用紙端部を含まない場合には、定着ローラー６１ａであって用紙端部に付着している紙粉が転写されても形成される画像に影響がなく、用紙幅の広い用紙で画像不良が発生する可能性が低いので、トナー像が形成されていない用紙Ｍをニップ部Ｎに通過させないようにすることができる。
【００７９】
制御部７が、画像取得部６５を制御して取得された今回の画像位置が前回の用紙端部を含まないと判断した場合（ステップＳ５６：Ｎｏ）、制御部７が、画像取得部６５を制御して取得された今回の画像のスクリーンパターンが誤差拡散法によるスクリーンパターンであるか否かを判断する（ステップＳ５７）。
【００８０】
制御部７が、画像取得部６５を制御して取得された今回の画像のスクリーンパターンが誤差拡散法によるスクリーンパターンであると判断した場合（ステップＳ５７：Ｙｅｓ）、トナー像が形成されていない用紙Ｍ（クリーニングシート）をニップ部Ｎに通過させ（ステップＳ５８）、ステップＳ５９に進む。
【００８１】
例えば、今回の用紙Ｍに誤差拡散法によるスクリーンパターンが形成される場合には、用紙幅の広い用紙で画像不良が発生する可能性が高いので、トナー像が形成されていない用紙Ｍをニップ部Ｎに通過させる。
【００８２】
また、例えば、今回の用紙Ｍに誤差拡散法によるスクリーンパターンが形成されない場合には、用紙幅の広い用紙で画像不良が発生する可能性が低いので、トナー像が形成されていない用紙Ｍをニップ部Ｎに通過させないようにすることができる。
【００８３】
最後に、制御部７が、画像取得部６５を制御して取得された今回の画像のスクリーンパターンが誤差拡散法によるスクリーンパターンではないと判断した場合（ステップＳ５７：Ｎｏ）、通常の定着処理を行って用紙Ｍに転写されたトナー像を定着させる（ステップＳ５９）。
【００８４】
なお、図５に示すフローチャートでは、前回の用紙Ｍの搬送方向に直交する方向の幅よりも今回の用紙Ｍの搬送方向に直交する方向の幅が大きいと判断した場合と、その他、５つの条件に基づき、トナー像が形成されていない用紙Ｍをニップ部Ｎに通過させるか否かを制御しているが、勿論、全ての条件を判断するのではなく、前回の用紙Ｍの搬送方向に直交する方向の幅よりも今回の用紙Ｍの搬送方向に直交する方向の幅が大きいと判断した場合と、少なくとも他の１条件とで判断するものであってもよい。
【００８５】
以上のように、制御部７が、前回の用紙Ｍの搬送方向に直交する方向の幅よりも今回の用紙Ｍの搬送方向に直交する方向の幅が大きい場合に加えて、紙種取得部６３により取得された今回の用紙Ｍの紙種、紙種取得部６３により取得された前回の用紙Ｍの紙種、枚数取得部６４により取得された前回の用紙Ｍの定着処理の枚数、画像取得部６５により取得された今回の用紙Ｍの画像位置、画像取得部６５により今回の用紙Ｍのスクリーンパターンにそれぞれ応じて、トナー像が形成されていない用紙Ｍをニップ部Ｎに通過させるか否かを制御することにより、トナー像が形成されていない用紙Ｍの消費を抑えることができる。
【００８６】
なお、実施形態の説明に際しては、定着ローラー６１ａに付着した紙粉等の異物を除去する用紙Ｍ（クリーニングシート）は、制御部７により給紙トレイユニット５１ａ〜５１ｃから所定の条件を満たす用紙を選択されて自動的に通紙されるような動作としているが、例えば、給紙トレイユニット５１ａ〜５１ｃのうちのどれか１つをクリーニングシート専用の給紙トレイユニットとしてもよい。この場合、クリーニングシートの幅は、画像形成装置１００に対して通紙可能な最大幅であることが好ましい。
【００８７】
また、制御部７により操作表示部２の表示部２１にクリーニングシートの通紙の実行を促す旨の情報を表示させ、ユーザーによる操作部２２からの指示によって実施するようにしても構わない。その際、例えば、ユーザーが給紙トレイユニット５１ａ〜５１ｃに収納されている用紙とは異なるシートを用意して手差しトレイユニット５１ｄからクリーニングシートを通紙させてもよい。具体的には、クリーニングを行う目的のための用紙や印刷に失敗して不要な用紙などを示す。この場合、給紙トレイユニット５１ａ〜５１ｃに収納されている用紙Ｍの消費を抑えることができる。
【００８８】
（変形例２）
実施形態の説明に際しては、制御部７は、前回の用紙Ｍの搬送方向に直交する方向の幅よりも今回の用紙Ｍの搬送方向に直交する方向の幅が大きいと判断した場合、トナー像が形成されていない用紙Ｍをニップ部Ｎに通過させていたが、トナー像が形成されていない用紙Ｍとして使用される用紙Ｍは、必ずしも用紙幅の広い用紙Ｍを用いることができない場合がある。
【００８９】
例えば、給紙トレイユニット５１ａ〜５１ｃに収容されている用紙幅の広い用紙Ｍが高価であり、或いは、残量が少なく使用してしまうと後の画像形成処理に支障きたすことが想定される場合には、必ずしも用紙幅の広い用紙Ｍをトナー像が形成されていない用紙Ｍとして用いることができない。
【００９０】
この場合、今回定着処理する用紙Ｍよりも用紙幅の狭い用紙Ｍを、クリーニングシート（トナー像が形成されていない用紙）として使用することになるが、一回の通過では、定着ローラーに付着した異物を十分に除去することができない。
【００９１】
このため、制御部７は、今回定着処理する用紙Ｍよりも用紙幅の狭い用紙Ｍの位置を、搬送方向に直交する方向に調整する位置調整部６６を備え、トナー像が形成されていない用紙Ｍがニップ部Ｎを通過する位置を制御して、定着部材（定着ローラー）に付着した異物を除去する。
なお、トナー像が形成されていない用紙Ｍは、実施形態における説明と同様であり、また、制御部７によるニップ部Ｎの通過方法も同じである。
【００９２】
すなわち、図６のフローチャートに示すように、制御部７は、紙幅取得部６２を制御してトナー像が形成されない用紙Ｍの用紙幅を取得する（ステップＳ６１）。
【００９３】
そして、制御部７は、取得された用紙幅が前回の用紙幅よりも広い用紙幅であるか否かを判断し（ステップＳ６２）、取得された用紙幅が前回の用紙幅よりも広い用紙幅であると判断した場合（ステップＳ６２：Ｙｅｓ）、トナー像が形成されていない広い用紙幅である用紙Ｍ（クリーニングシート）をニップ部Ｎに通過させる（ステップＳ６３）。
【００９４】
一方、制御部７は、取得された用紙幅が前回の用紙幅よりも広い用紙幅ではないと判断した場合（ステップＳ６２：Ｎｏ）、トナー像が形成されていない用紙Ｍ（クリーニングシート）を、前回の用紙Ｍの搬送方向に直交する方向の用紙端部の両方に通過させるか否かを判断する（ステップＳ６５）。
【００９５】
制御部７は、トナー像が形成されていない用紙Ｍ（クリーニングシート）を、前回の用紙Ｍの搬送方向に直交する方向の用紙端部の両方に通過させると判断した場合（ステップＳ６５：Ｙｅｓ）、位置調整部６６を制御して、トナー像が形成されていない狭い用紙幅である２枚の用紙Ｍ（クリーニングシート）を使用して、それぞれの位置を搬送方向に直交する方向に調整して、当該用紙端部の両方を通るようにニップ部Ｎを通過させる（ステップＳ６６）。
【００９６】
例えば、位置調整部６６は、ニップ部Ｎの上流側に設けられ、図７に示すように、揺動ローラーＳＲ６１と、ループローラーＬＲ６１及びＬＲ６２とから構成される。位置調整部６６は、図７（ａ）の矢印の方向に搬送されてきた用紙Ｍを、ループローラーＬＲ６１及びＬＲ６２で揺動ローラーＳＲ６１が挟持する位置まで搬送した後、ループローラーＬＲ６１及びＬＲ６２での用紙Ｍの挟持を解除して揺動ローラーＳＲ６１のみが用紙Ｍを挟持した状態で、図７（ｂ）の矢印の方向に移動させることにより、用紙Ｍの位置を調整する。
【００９７】
一方、制御部７は、トナー像が形成されていない用紙Ｍ（クリーニングシート）を、前回の用紙Ｍの搬送方向に直交する方向の用紙端部の両方に通過させる必要はないと判断した場合（ステップＳ６５：Ｎｏ）、位置調整部６６を制御して、トナー像が形成されていない狭い用紙幅である１枚の用紙Ｍ（クリーニングシート）の位置を搬送方向に直交する方向に調整して、当該用紙端部のどちらか一方を通るようにニップ部Ｎを通過させる（ステップＳ６７）。
【００９８】
最後に、制御部７は、通常の定着処理を行って用紙Ｍに転写されたトナー像を定着させる（ステップＳ６４）。
【００９９】
以上のように、用紙Ｍの搬送方向に直交する方向に位置を調整する位置調整部６６を備え、制御部７は、紙幅取得部６２により、トナー像が形成されていない用紙Ｍ（クリーニングシート）が前回の用紙Ｍの幅より小さいと判断した場合、位置調整部６６を制御して、トナー像が形成されていない用紙Ｍ（クリーニングシート）の位置をずらして前回の用紙Ｍの搬送方向に直交する方向の用紙端部を通るように通過させることにより、用紙幅の広い用紙Ｍをトナー像が形成されていない用紙Ｍとして用いることができない場合であっても、定着ローラーに付着した異物を除去することができる。
【０１００】
なお、変形例２の説明に際しては、トナー像が形成されていない用紙Ｍ（クリーニングシート）を、前回の用紙Ｍの搬送方向に直交する方向の用紙端部の両方に通過させる場合、位置調整部６６を制御して、トナー像が形成されていない狭い用紙幅である２枚の用紙Ｍ（クリーニングシート）を使用して、それぞれの位置を搬送方向に直交する方向に調整して、当該用紙端部の両方を通るようにニップ部Ｎを通過させているが、１枚の用紙Ｍの裏表の面を使用して当該用紙端部の両方を通るようにニップ部Ｎを通過させてもよい。
【０１０１】
この場合、トナー像が形成されていない用紙Ｍ（クリーニングシート）が１枚で済むので、トナー像が形成されていない用紙Ｍの消費を抑えることができる。
【０１０２】
なお、実施形態の説明に際しては、定着ローラー６１ａに付着した紙粉等の異物を除去する用紙Ｍとして、トナー像が形成されていない用紙Ｍをニップ部Ｎに通過させたが、必ずしもトナー像が形成されていない用紙Ｍである必要はない。搬送方向に対して下流側の先端部からトナー像と接触する定着ローラー６１ａの周長までの距離まではトナー像が形成されていない用紙Ｍであればよい。
【０１０３】
また、実施形態の説明に際しては、定着装置６が、定着ローラー６１ａと加圧ローラー６１ｂは、用紙Ｍを挟持して搬送するニップ部Ｎを構成しているが、加熱部材である加熱ローラーと、定着ベルトとを備え、定着ベルトは、加熱ローラーと、定着ローラー６１ａとに張架され、定着ローラー６１ａ及び加圧ローラー６１ｂは、当該定着ベルトを介して、用紙Ｍを挟持して搬送するニップ部Ｎを構成するようにしても良い。
【０１０４】
また、実施形態の説明に際しては、例えば、Ｙ（イエロー）、Ｍ（マゼンダ）、Ｃ（シアン）、Ｋ（ブラック）等の色毎に画像形成用のユニットを備え、用紙Ｍ上にカラー画像を形成する画像形成装置１００を例示したが、一例であってこれに限られるものではなく、例えば、単色の画像を形成する画像形成装置であっても良い。
【０１０５】
また、実施形態の説明に際しては、定着ローラーと加圧ローラーを区別して説明しているが、一対の定着部材と考えても良い。
【０１０６】
また、実施形態の説明に際しては、記録媒体として用紙を例示しているが、記録媒体は紙に限定されるものではなく、トナー像を形成及び定着可能なシート状のものであればよく、例えば、不織布、プラスチックフィルム、皮革等でもよい。
【符号の説明】
【０１０７】
１００  画像形成装置
４      画像形成部
６      定着装置
６１    定着部
６１ａ  定着ローラー
６１ｂ  加圧ローラー
６１ｃ  外加熱ローラー
６１ｄ  定着ヒーター
６１ｅ  外加熱ヒーター
６２    紙幅取得部（幅取得部）
６３    紙種取得部（種類取得部）
６４    枚数取得部
６５    画像取得部
６６    位置調整部
７      制御部
Ｍ      用紙（記録媒体）
Ｎ      ニップ部
ＳＲ６１  揺動ローラー
ＬＲ６１，ＬＲ６２  ループローラー
【図１】
2016166977.tif 000003
【図２】
2016166977.tif 000004
【図３】
2016166977.tif 000005
【図４】
2016166977.tif 000006
【図５】
2016166977.tif 000007
【図６】
2016166977.tif 000008
【図７】
2016166977.tif 000009